(57)【要約】【課題】情報データにデータ圧縮処理を施して伝送するにあたり、受入側で、放送用とされる高品質の情報信号を形成でき、かつ、元の情報データに対する時間遅れが小とされる復元情報データに基づく再生情報が得られるようになす。【解決手段】情報データに所定の時間に亙るデータ区分毎のデータ圧縮を行う長時間データ圧縮処理部１３と、情報データにデータ低減処理を施して低減情報データを得るデータ低減部１４と、情報データに、所定の時間より短い時間に亙るデータ区分毎のデータ圧縮を行う短時間データ圧縮処理部１５と、長時間データ圧縮処理部１３からの長時間圧縮情報データ及び短時間データ圧縮処理部１５からの短時間圧縮情報データを伝送するデータ伝送部５１とを備える。【選択図】　　　　図１
2004120453.tif 000002
【特許請求の範囲】
【請求項１】
画像信号を含んだ情報信号を発する情報信号送出部と、
該情報信号送出部から得られる情報信号に基づく情報データを生成するアナログ／ディジタル変換部と、
該アナログ／ディジタル変換部から得られる情報データに、所定の時間に亙るデータ区分毎のデータ圧縮を行う第１のデータ圧縮処理部と、
上記アナログ／ディジタル変換部から得られる情報データにデータ低減処理を施して低減情報データを得るデータ低減部と、
該データ低減部から得られる低減情報データに、上記所定の時間より短い時間に亙るデータ区分毎のデータ圧縮を行う第２のデータ圧縮処理部と、
上記第１のデータ圧縮処理部によるデータ圧縮処理が施された第１の圧縮情報データ及び上記第２のデータ圧縮処理部によるデータ圧縮処理が施された第２の圧縮情報データを伝送するデータ伝送部と、
を備えて構成されるデータ伝送処理装置。
【請求項２】
データ伝送部が、第１のデータ圧縮処理部によるデータ圧縮処理が施された第１の圧縮情報データを送信する第１のデータ送信部と、第２のデータ圧縮処理部によるデータ圧縮処理が施された第２の圧縮情報データを送信する第２のデータ送信部とを含んで構成されることを特徴とする請求項１記載のデータ伝送処理装置。
【請求項３】
データ伝送部が、第１のデータ圧縮処理部によるデータ圧縮処理が施された第１の圧縮情報データと第２のデータ圧縮処理部によるデータ圧縮処理が施された第２の圧縮情報データとに多重化処理を施して多重情報データを得るデータ多重部と、該データ多重部から得られる多重情報データを送信するデータ送信部とを含んで構成されることを特徴とする請求項１記載のデータ伝送処理装置。
【請求項４】
データ伝送部が、第１のデータ圧縮処理部によるデータ圧縮処理が施された第１の圧縮情報データと第２のデータ圧縮処理部によるデータ圧縮処理が施された第２の圧縮情報データとに多重化処理を施して多重情報データを得るデータ多重部と、該データ多重部から得られる多重情報データに基づく無線送信用信号を形成する無線送信用信号形成部と、該無線送信用信号形成部により形成された無線送信用信号を無線送信する送信部とを含んで構成されることを特徴とする請求項１記載のデータ伝送処理装置。
【請求項５】
情報データに所定の時間に亙るデータ区分毎のデータ圧縮が行われて形成された第１の圧縮情報データと、上記情報データにデータ低減処理が施されるとともに上記所定の時間より短い時間に亙るデータ区分毎のデータ圧縮が行われて形成された第２の圧縮情報データとを受け入れるデータ受入部と、
該データ受入部から得られる第１の圧縮情報データにデータ伸長処理を施して第１の復元情報データを得る第１のデータ伸長処理部と、
上記データ受入部から得られる第２の圧縮情報データにデータ伸長処理を施して第２の復元情報データを得る第２のデータ伸長処理部と、
上記第１のデータ伸長処理部から得られる第１の復元情報データに基づく放送用画像信号を形成する放送用信号形成部と、
上記第２のデータ伸長処理部から得られる第２の復元情報データに基づく再生情報信号を得るディジタル／アナログ変換部と、
該ディジタル／アナログ変換部から得られる再生情報信号に基づく画像表示を行う画像表示部と、
を備えて構成されるデータ受入処理装置。
【請求項６】
データ受入部が、伝送された第１の圧縮情報データを受信する第１の受信部と、伝送された第２の圧縮情報データを受信する第２の受信部とを含んで構成されることを特徴とする請求項５記載のデータ受入処理装置。
【請求項７】
データ受入部が、第１の圧縮情報データと第２の圧縮情報データとに多重化処理が施されることにより得られて伝送された多重情報データを受信するデータ受信部と、該データ受信部により受信された多重情報データにデータ分離処理を施して上記第１及び第２の圧縮情報データを個別に得るデータ分離部とを含んで構成されることを特徴とする請求項５記載のデータ受入処理装置。
【請求項８】
データ受入部が、第１の圧縮情報データと第２の圧縮情報データとに多重化処理が施されることにより得られた多重情報データに基づいて形成されて無線送信された無線送信用信号を受信する受信部と、該受信部により受信された無線送信用信号から上記多重情報データを再生するデータ再生部と、該データ再生部から得られる多重情報データにデータ分離処理を施して上記第１及び第２の圧縮情報データを個別に得るデータ分離部とを含んで構成されることを特徴とする請求項５記載のデータ受入処理装置。
【請求項９】
画像信号を含んだ情報信号を発する情報信号送出部と、
該情報信号送出部から得られる情報信号に基づく情報データを生成するアナログ／ディジタル変換部と、
該アナログ／ディジタル変換部から得られる情報データに、所定の時間に亙るデータ区分毎のデータ圧縮を行う第１のデータ圧縮処理部と、
上記アナログ／ディジタル変換部から得られる情報データにデータ低減処理を施して低減情報データを得るデータ低減部と、
該データ低減部から得られる低減情報データに、上記所定の時間より短い時間に亙るデータ区分毎のデータ圧縮を行う第２のデータ圧縮処理部と、
上記第１のデータ圧縮処理部によるデータ圧縮処理が施された第１の圧縮情報データ及び上記第２のデータ圧縮処理部によるデータ圧縮処理が施された第２の圧縮情報データを伝送するデータ伝送部と、
該データ伝送部により伝送された第１及び第２の圧縮情報データを受け入れるデータ受入部と、
該データ受入部により受け入れられた上記第１の圧縮情報データにデータ伸長処理を施して第１の復元情報データを得る第１のデータ伸長処理部と、
上記データ受入部により受け入れられた上記第２の圧縮情報データにデータ伸長処理を施して第２の復元情報データを得る第２のデータ伸長処理部と、
上記第１のデータ伸長処理部から得られる第１の復元情報データに基づく放送用画像信号を形成する放送用信号形成部と、
上記第２のデータ伸長処理部から得られる第２の復元情報データに基づく再生情報信号を得るディジタル／アナログ変換部と、
該ディジタル／アナログ変換部から得られる再生情報信号に基づく画像表示を行う画像表示部と、
を備えて構成されるデータ送受処理装置。
【請求項１０】
データ伝送部が、第１のデータ圧縮処理部によるデータ圧縮処理が施された第１の圧縮情報データを送信する第１のデータ送信部と、第２のデータ圧縮処理部によるデータ圧縮処理が施された第２の圧縮情報データを送信する第２のデータ送信部とを含んで構成されるとともに、データ受入部が、送信された上記第１の圧縮情報データを受信する第１の受信部と、送信された上記第２の圧縮情報データを受信する第２の受信部とを含んで構成されることを特徴とする請求項９記載のデータ送受処理装置。
【請求項１１】
データ伝送部が、第１のデータ圧縮処理部によるデータ圧縮処理が施された第１の圧縮情報データと第２のデータ圧縮処理部によるデータ圧縮処理が施された第２の圧縮情報データとに多重化処理を施して多重情報データを得るデータ多重部と、該データ多重部から得られる多重情報データを送信するデータ送信部とを含んで構成されるとともに、データ受入部が、送信された上記多重情報データを受信するデータ受信部と、該データ受信部により受信された多重情報データにデータ分離処理を施して上記第１及び第２の圧縮情報データを個別に得るデータ分離部とを含んで構成されることを特徴とする請求項９記載のデータ送受処理装置。
【請求項１２】
データ伝送部が、第１のデータ圧縮処理部によるデータ圧縮処理が施された第１の圧縮情報データと第２のデータ圧縮処理部によるデータ圧縮処理が施された第２の圧縮情報データとに多重化処理を施して多重情報データを得るデータ多重部と、該データ多重部から得られる多重情報データに基づく無線送信用信号を形成する無線送信用信号形成部と、該無線送信用信号形成部により形成された無線送信用信号を無線送信する送信部とを含んで構成されるとともに、データ受入部が、無線送信された上記無線送信用信号を受信する受信部と、該受信部により受信された無線送信用信号から上記多重情報データを再生するデータ再生部と、該データ再生部から得られる多重情報データにデータ分離処理を施して上記第１及び第２の圧縮情報データを個別に得るデータ分離部とを含んで構成されることを特徴とする請求項９記載のデータ送受処理装置。
【発明の詳細な説明】
【０００１】
【発明の属する技術分野】
本願の特許請求の範囲に記載された発明は、画像信号を含んだ情報信号に基づく情報データを、それにデータ圧縮処理を施して伝送するデータ伝送処理装置，それにより伝送された圧縮情報データを受け入れて元の情報データを得るデータ受入処理装置、及び、これらのデータ伝送処理装置及びデータ受入処理装置の両者を含んで成るデータ送受処理装置に関する。
【０００２】
【従来の技術】
テレビジョン放送局等により放送番組情報が収録されるにあたっては、例えば、マイクロフォン付のビデオカメラが用いられて撮像及び収音が行われ、ビデオカメラから得られる画像信号及び音声信号が、情報信号として、ビデオカメラに付随するカメラ制御ユニットを経て、放送スタジオへと送られる。斯かる際におけるビデオカメラに付随するカメラ制御ユニットから放送スタジオへの情報信号の伝送は、ビデオカメラが放送スタジオまで比較的近い位置に在る場合には、光ケーブル等の信号伝送ケーブルを通じて行われるが、ビデオカメラが放送スタジオから比較的遠い位置にある場合には、適宜中継設備を介在させた無線伝送の形態をもって行われる。
【０００３】
情報信号の伝送にあたっては、伝送中に生じる信号品質の劣化を最小限に止めることができるように、伝送すべき情報信号をそれにアナログ／ディジタル（Ａ／Ｄ）変換を施してディジタル化し、それにより得られる情報データを伝送する、所謂、ディジタル伝送手法が採られることが多い。特に、画像信号が無線伝送されるもとでは、画像信号がフェージング等の影響を受けて乱される虞があるが、ディジタル伝送手法が採られることにより、そうした乱れに対する補正も期待することができることになる。
【０００４】
上述のように、伝送すべき情報信号がディジタル化されて情報データとされる場合、当該情報信号は画像信号を含んだものであるので、情報信号に基づく情報データは、通常、極めて大なるデータ量を有するものとされる。そして、極めて大なるデータ量を有した情報データの伝送は、データ伝送路に伝送容量あるいは伝送周波数帯域の面における重い負担を課すことになり、また、場合によっては、データ伝送路の伝送容量あるいは伝送周波数帯域についての制限から、伝送が困難とされることにもなる。
【０００５】
そこで、画像信号を含んだ情報信号をディジタル化により情報データとして伝送するにあたり、情報データにデータ圧縮処理を施して、必要なデータ品質を維持しつつ、実際に伝送に供されるデータ量を低減させることが、従来提案されている。その一例として、ビデオカメラを用いた監視システムにおいて、ビデオカメラ（監視カメラ）により得られる画像情報データにデータ圧縮を施し、それにより得られる圧縮画像情報データを、通信回線を通じて、監視カメラから離隔した監視センターへと伝送するものがある（例えば、特許文献１参照）。特許文献１に記載されたものの場合には、監視カメラにより得られる画像情報データに高圧縮処理と低圧縮処理との２通りのデータ圧縮処理を施し、高圧縮処理を施して得た圧縮画像情報データを、通信回線を通じて監視センターへと伝送することとし、低圧縮処理を施して得た比較的高品質の圧縮画像情報データについては、監視カメラ内のデータ蓄積部に格納して保存し、検索再生の用に供するようにしている。
【０００６】
【特許文献１】
特開２０００−５９７５８号公報（段落番号；０００６〜００２２，００２５〜００２７等，図１〜図３）
【０００７】
【発明が解決しようとする課題】
画像信号を含んだ情報信号のディジタル化により得られる情報データについてのデータ圧縮処理においては、画像信号に基づく画像情報データについてのデータ圧縮処理が支配的となる。画像情報データについてのデータ圧縮、即ち、高能率符号化にあっては、符号化方式の主流が、離隔コサイン変換方式（Ｄｉｓｃｒｅｔｅ　Ｃｏｓｉｎｅ　Ｔｒａｎｓｆｏｒｍａｔｉｏｎ：ＤＣＴ）　となってきており、離隔コサイン変換方式が活用された標準化方式が提唱されている。斯かる標準化方式のうちの動画像をあらわす画像情報データについてのものとして、ＭＰＥＧ方式（ＣＣＩＴＴ　の委員会である　Ｍｏｖｉｎｇ　Ｐｉｃｔｕｒｅ　Ｉｍａｇｅ　Ｃｏｄｉｎｇ　Ｅｘｐｅｒｔ　Ｇｒｏｕｐ　によって勧告された方式）　があり、取り分け、ＭＰＥＧ２が、画像情報データについてのデータ圧縮に不可欠の技術として、よく利用される。
【０００８】
ＭＰＥＧ方式は、画像情報データが、例えば、データ区分であるフレーム期間分が順次連なって構成される周期的規則性を有したデータであることを有効に利用するもので、幾つかのフレーム期間分のグループ（Ｇｒｏｕｐ　ｏｆ　Ｐｉｃｔｕｒｅ：　ＧＯＰ）毎の高能率符号化、即ち、所定のデータ区分毎のデータ圧縮を行っていく。その際、ＧＯＰに含まれるフレーム期間分の数が多い方が、換言すれば、データ区分毎のデータ圧縮に供されるデータ区分の時間が長い方が、圧縮効率が向上し、また、データ伸長時におけるエラー訂正能力も高くなって、データ品質が高められ、高品質の再生画像が得られるものとされる。
【０００９】
それゆえ、画像信号を含んだ情報信号のディジタル化により得られる情報データについてのデータ圧縮処理において支配的となる、画像信号に基づく画像情報データについてのデータ圧縮処理にあたり、画像情報データに、例えば、ＭＰＥＧ２とされるＭＰＥＧ方式によって、比較的長い時間に亙るデータ区分毎のデータ圧縮を施すことが、高品質の再生画像が得られることになる観点から望まれる。
【００１０】
しかしながら、画像情報データに比較的長い時間に亙るデータ区分毎のデータ圧縮を施すことは、データ区分毎のデータ圧縮にあたり、先ず、画像情報データにおける比較的長い時間に亙るデータ区分を取り込むことが要され、また、データ区分毎のデータ圧縮により得られた圧縮画像情報データにデータ伸長を施して元の画像情報データ（復元画像情報データ）を得るにあたり、各データ区分の復元に比較的長い時間が要されることになる。即ち、画像情報データに対するデータ圧縮及びデータ伸長に比較的長い時間が要されることになり、それゆえ、圧縮画像情報データさらには復元画像情報データが、元の画像情報データに対する比較的大なる時間遅れを生じることになってしまう。
【００１１】
このことは、例えば、ビデオカメラが用いられて事故現場についての放送番組情報が収録される状況にあって、ビデオカメラにより得られる画像信号に基づく画像情報データが放送スタジオに伝送され、その画像情報データに基づく放送用テレビジョン信号が送出されるとともに、その画像情報データに基づく再生画像が放送スタジオにおける画像表示装置によって表示され、放送スタジオ側からビデオカメラ側に当該再生画像を参照しつつ、例えば、電話による音声指示が出される場合等において、不都合を生じる。斯かる不都合は、例えば、ビデオカメラにより画像信号が得られる時点に比して、その画像信号に基づく画像情報データによって放送スタジオにおける画像表示装置に再生画像が得られる時点が、画像情報データに対するデータ圧縮及びデータ伸長に要される時間だけ遅れるとになって、放送スタジオ側からビデオカメラ側への指示が即時応答性の無いものとなってしまうことであり、また、それにより、放送スタジオから送出される放送用テレビジョン信号を受信して、それに基づく再生画像及び音声を視聴する一般視聴者が、再生画像及び音声に不自然さを感じることになってしまうことである。
【００１２】
このような事態を回避すべく、画像信号を含んだ情報信号のディジタル化により得られる情報データについてのデータ圧縮処理において支配的となる、画像信号に基づく画像情報データについてのデータ圧縮処理にあたり、画像情報データに比較的短い時間に亙るデータ区分毎のデータ圧縮を施すことが考えられるが、その際には、圧縮効率が低下してしまい、また、データ品質が低下した、高品質の再生画像が得られないことになる圧縮画像情報データしか得られないことになってしまう。
【００１３】
斯かる点に鑑み、本願の特許請求の範囲に記載された発明は、画像信号を含んだ情報信号に基づく情報データを、それにデータ圧縮処理を施して伝送するにあたり、伝送された圧縮情報データを受け入れる側において、例えば、放送用とされる高品質の情報信号を形成でき、かつ、元の情報データに対する時間遅れが比較的小とされる復元情報データに基づく再生情報が得られるようになすことができるデータ伝送処理装置，それにより伝送された圧縮情報データを受け入れて元の情報データを得るデータ受入処理装置、及び、これらのデータ伝送処理装置及びデータ受入処理装置の両者を含んで成るデータ送受処理装置を提供する。
【００１４】
【課題を解決するための手段】
本願の特許請求の範囲における請求項１から請求項４までのいずれかに記載された発明に係るデータ伝送処理装置は、画像信号を含んだ情報信号を発する情報信号送出部と、情報信号送出部から得られる情報信号に基づく情報データを生成するＡ／Ｄ変換部と、Ａ／Ｄ変換部から得られる情報データに、所定の時間に亙るデータ区分毎のデータ圧縮を行う第１のデータ圧縮処理部と、Ａ／Ｄ変換部から得られる情報データにデータ低減処理を施して低減情報データを得るデータ低減部と、データ低減部から得られる低減情報データに、上述の所定の時間より短い時間に亙るデータ区分毎のデータ圧縮を行う第２のデータ圧縮処理部と、第１のデータ圧縮処理部によるデータ圧縮処理が施された第１の圧縮情報データ及び第２のデータ圧縮処理部によるデータ圧縮処理が施された第２の圧縮情報データを伝送するデータ伝送部と、を備えて構成される。
【００１５】
また、本願の特許請求の範囲における請求項５から請求項８までのいずれかに記載された発明に係るデータ受入処理装置は、情報データに所定の時間に亙るデータ区分毎のデータ圧縮が行われて形成された第１の圧縮情報データと、同じ情報データにデータ低減処理が施されるとともに上述の所定の時間より短い時間に亙るデータ区分毎のデータ圧縮が行われて形成された第２の圧縮情報データとを受け入れるデータ受入部と、データ受入部から得られる第１の圧縮情報データにデータ伸長処理を施して第１の復元情報データを得る第１のデータ伸長処理部と、データ受入部から得られる第２の圧縮情報データにデータ伸長処理を施して第２の復元情報データを得る第２のデータ伸長処理部と、第１のデータ伸長処理部から得られる第１の復元情報データに基づく放送用画像信号を形成する放送用信号形成部と、第２のデータ伸長処理部から得られる第２の復元情報データに基づく再生情報信号を得るディジタル／アナログ（Ｄ／Ａ）変換部と、Ｄ／Ａ変換部から得られる再生情報信号に基づく画像表示を行う画像表示部と、を備えて構成される。
【００１６】
さらに、本願の特許請求の範囲における請求項９から請求項１２までのいずれかに記載された発明に係るデータ送受処理装置は、画像信号を含んだ情報信号を発する情報信号送出部と、情報信号送出部から得られる情報信号に基づく情報データを生成するＡ／Ｄ変換部と、Ａ／Ｄ変換部から得られる情報データに、所定の時間に亙るデータ区分毎のデータ圧縮を行う第１のデータ圧縮処理部と、Ａ／Ｄ変換部から得られる情報データにデータ低減処理を施して低減情報データを得るデータ低減部と、データ低減部から得られる低減情報データに、所定の時間より短い時間に亙るデータ区分毎のデータ圧縮を行う第２のデータ圧縮処理部と、第１のデータ圧縮処理部によるデータ圧縮処理が施された第１の圧縮情報データ及び第２のデータ圧縮処理部によるデータ圧縮処理が施された第２の圧縮情報データを伝送するデータ伝送部と、データ伝送部により伝送された第１及び第２の圧縮情報データを受け入れるデータ受入部と、データ受入部により受け入れられた第１の圧縮情報データにデータ伸長処理を施して第１の復元情報データを得る第１のデータ伸長処理部と、データ受入部により受け入れられた第２の圧縮情報データにデータ伸長処理を施して第２の復元情報データを得る第２のデータ伸長処理部と、第１のデータ伸長処理部から得られる第１の復元情報データに基づく放送用画像信号を形成する放送用信号形成部と、第２のデータ伸長処理部から得られる第２の復元情報データに基づく再生情報信号を得るＤ／Ａ変換部と、Ｄ／Ａ変換部から得られる再生情報信号に基づく画像表示を行う画像表示部と、を備えて構成される。
【００１７】
上述の如くに構成される本願の特許請求の範囲における請求項１から請求項４までのいずれかに記載された発明に係るデータ伝送処理装置にあっては、第１のデータ圧縮処理部及び第２のデータ圧縮処理部により、同一の情報データに基づく第１の圧縮情報データ及び第２の圧縮情報データが夫々形成される。そして、これら第１及び第２の圧縮情報データが、データ伝送部によって伝送される。
【００１８】
第１の圧縮情報データは、情報データに所定の時間に亙るデータ区分毎のデータ圧縮が行われて得られ、それにより、それを得るためのデータ圧縮処理に上述の所定の時間に応じた時間が要されて、元の情報データに対する時間遅れを生じ、さらに、それに基づく復元情報データを得るためのデータ伸長処理にも、上述の所定の時間に応じた時間が要されるが、例えば、比較的高い品質の復元情報データが得られることになるものとされる。一方、第２の圧縮情報データは、情報データにデータ低減処理が施されて得られる低減情報データに、上述の所定の時間より短い時間に亙るデータ区分毎のデータ圧縮が行われて得られ、それにより、それを得るためのデータ圧縮処理に要される時間が比較的短くて済み、元の情報データに対する時間遅れが比較的小とされ、さらに、それに基づく復元情報データを得るためのデータ伸長処理に要される時間も比較的短くて済むが、高い品質の復元情報データは得られないことになるものとされる。
【００１９】
従って、本願の特許請求の範囲における請求項１から請求項４までのいずれかに記載された発明に係るデータ伝送処理装置によれば、元の情報データに対する時間遅れが比較的大とされるが、比較的高い品質の復元情報データが得られることになる第１の圧縮情報データと、元の情報データに対する時間遅れが比較的小とされるが、高い品質の復元情報データは得られないことになる第２の圧縮情報データとが伝送されることになる。それにより、伝送された第１及び第２の圧縮情報データを受け入れるデータ受入側においては、第１の圧縮情報データに基づく、元の情報データに対する時間遅れは比較的大であるが、比較的高い品質の復元情報データを得ることができるとともに、第２の圧縮情報データに基づく、高い品質のものとは言えないが、元の情報データに対する時間遅れが比較的小である復元情報データを得ることができる。
【００２０】
また、本願の特許請求の範囲における請求項５から請求項８までのいずれかに記載された発明に係るデータ受入処理装置にあっては、情報データに所定の時間に亙るデータ区分毎のデータ圧縮が施されて形成された第１の圧縮情報データに基づく第１の復元情報データ、及び、同じ情報データにデータ低減処理が施されるとともに上述の所定の時間より短い時間に亙るデータ区分毎のデータ圧縮が施されて形成された第２の圧縮情報データに基づく第２の復元情報データが、第１のデータ伸長処理部及び第２のデータ伸長処理部により夫々得られ、放送用信号形成部により第１の復元情報データに基づく放送用画像信号が形成されるとともに、画像表示部により第２の復元情報データに基づく画像表示が行われる。
【００２１】
第１の復元情報データは、情報データに所定の時間に亙るデータ区分毎のデータ圧縮が施されて形成された第１の圧縮情報データにデータ伸長処理が施されて得られるものゆえ、元の情報データに対する時間遅れは比較的大であるが、比較的高い品質のものとされる。一方、第２の復元情報データは、同じ情報データにデータ低減処理が施されるとともに上述の所定の時間より短い時間に亙るデータ区分毎のデータ圧縮が施されて形成された第２の圧縮情報データにデータ伸長処理が施されて得られるものゆえ、高い品質のものとは言えないが、元の情報データに対する時間遅れが比較的小であるものとされる。
【００２２】
従って、本願の特許請求の範囲における請求項５から請求項８までのいずれかに記載された発明に係るデータ受入処理装置によれば、第１の復元情報データに基づいて、元の情報データに対する時間遅れは比較的大であるが、比較的高い品質のものとされる放送用画像信号を形成することができるとともに、第２の復元情報データに基づいて、高い品質のものではないが、元の情報データがあらわす画像に対する時間遅れが比較的小とされる再生画像を得ることができる。この再生画像は、例えば、放送用画像信号の情報内容の形成あるいは確認等の用に供される。
【００２３】
さらに、本願の特許請求の範囲における請求項９から請求項１２までのいずれかに記載された発明に係るデータ送受処理装置は、本願の特許請求の範囲における請求項１から請求項４までのいずれかに記載された発明に係るデータ伝送処理装置と本願の特許請求の範囲における請求項５から請求項８までのいずれかに記載された発明に係るデータ受入処理装置とを含んで構成される。それゆえ、上述の本願の特許請求の範囲における請求項１から請求項４までのいずれかに記載された発明に係るデータ伝送処理装置及び請求項５から請求項８までのいずれかに記載された発明に係るデータ受入処理装置の夫々の特徴及び作用効果を有するものとされる。
【００２４】
【発明の実施の形態】
図１は、本願の特許請求の範囲における請求項１または請求項２に記載された発明に係るデータ伝送処理装置，請求項５または請求項６に記載された発明に係るデータ受入処理装置、及び、請求項９または請求項１０に記載された発明に係るデータ送受処理装置の夫々の例を示す。
【００２５】
図１に示される構成にあっては、部分Ａが、本願の特許請求の範囲における請求項１または請求項２に記載された発明に係るデータ伝送処理装置の例を形成し、部分Ｂが、本願の特許請求の範囲における請求項５または請求項６に記載された発明に係るデータ受入処理装置の例を形成し、さらに、部分Ａ及び部分Ｂの両者が、本願の特許請求の範囲における請求項９または請求項１０に記載された発明に係るデータ送受処理装置の例を形成している。
【００２６】
部分Ａが形成する本願の特許請求の範囲における請求項１または請求項２に記載された発明に係るデータ伝送処理装置の例においては、画像信号を含んだ情報信号を発する情報信号送出部を成すビデオカメラ１１が備えられており、ビデオカメラ１１は、例えば、マイクロフォン付のものとされる。ビデオカメラ１１においては、画像信号を含んだ情報信号ＳＩが得られ、それがＡ／Ｄ変換部１２に供給される。
【００２７】
Ａ／Ｄ変換部１２は、情報信号ＳＩをそれにＡ／Ｄ変換処理を施してディジタル化し、情報信号ＳＩに基づく情報データＤＩを生成する。情報データＤＩは、画像信号に基づく画像データを含んで成り、例えば、フレーム期間分が順次連なって構成される周期的規則性を有したデータとされる。Ａ／Ｄ変換部１２から得られる情報データＤＩは、長時間データ圧縮処理部１３とデータ低減部１４とに供給される。
【００２８】
長時間データ圧縮処理部１３は、情報データＤＩにデータ圧縮処理を施す。このデータ圧縮処理は、情報データＤＩに対しての、例えば、数〜十数フレーム期間分を含む比較的長い所定の時間に亙るデータ区分毎の高能率符号化によるデータ圧縮を行うことによるものとされ、比較的高い品質を有した圧縮情報データＤＣＬを形成する。そして、長時間データ圧縮処理部１３からは、元の情報データＤＩに対する時間遅れは、上述の比較的長い所定の時間に対応して比較的大とされるが、比較的高い品質を有した長時間圧縮情報データＤＣＬが得られる。
【００２９】
データ低減部１４は、情報データＤＩに対して、そのデータ量を減少させるデータ低減処理を施す。斯かるデータ低減処理は、例えば、情報データＤＩについてビット間引き手法を用いたビットレートを低減させる処理を施すことによって行われる。それにより、データ低減部１４からは、データ量の減少によりビットレートが低減された低減情報データＤＩＲが得られ、それが短時間データ圧縮処理部１５に供給される。このようなデータ低減部１４は、例えば、Ａ／Ｄ変換部１２から得られる情報データＤＩが高精細度テレビジョンシステム（ＨＤ−ＴＶシステム）に準拠した映像信号データとされるとき、その情報データＤＩを現行標準テレビジョンシステム（ＳＤ−ＴＶシステム）に準拠した映像信号データに変換して、低減情報データＤＩＲを得るものとされてもよい。
【００３０】
短時間データ圧縮処理部１５は、低減情報データＤＩＲにデータ圧縮処理を施す。このデータ圧縮処理は、低減情報データＤＩＲに対しての、例えば、１もしくは２フレーム期間分を含む、上述の所定の時間より短い時間に亙るデータ区分毎の高能率符号化によるデータ圧縮を行うことによるものとされ、低減情報データＤＩＲに対する時間遅れが比較的小とされる圧縮情報データＤＣＳを形成する。そして、短時間データ圧縮処理部１５からは、高い品質を有するとは言えない、元の情報データＤＩに対する時間遅れが、上述の所定の時間より短い時間に対応して比較的小とされる短時間圧縮情報データＤＣＳが得られる。この短時間圧縮情報データＤＣＳは、情報データＤＩにデータ低減部１４によるデータ量の低減処理が施されて形成された低減情報データＤＩＲに高能率符号化によるデータ圧縮処理が施されて得られるものであるので、そのデータ圧縮処理が上述の所定の時間より短い時間に亙るデータ区分毎に行われるものであっても、例えば、長時間データ圧縮処理部１３から得られる長時間圧縮情報データＤＣＬのビットレートと略同等もしくはそれより低いビットレートを有することができるものとされる。
【００３１】
長時間データ圧縮処理部１３から得られる長時間圧縮情報データＤＣＬ、及び、短時間データ圧縮処理部１５から得られる短時間圧縮情報データＤＣＳは、データ伝送部１６に供給される。データ伝送部１６には、データ送信部１７とデータ送信部１８とが含まれており、データ送信部１７は、長時間圧縮情報データＤＣＬをデータ伝送路１９を通じて部分Ｂへと送信し、また、データ送信部１８は、短時間圧縮情報データＤＣＳをデータ伝送路２０を通じて部分Ｂへと送信する。それにより、データ伝送部１６は、部分Ａから長時間圧縮情報データＤＣＬ及び短時間圧縮情報データＤＣＳを夫々データ伝送路１９及び２０を通じて部分Ｂへと伝送することになる。
【００３２】
また、部分Ａが形成する本願の特許請求の範囲における請求項１または請求項２に記載された発明に係るデータ伝送処理装置の例にあっては、部分Ｂから信号伝送路２１を通じて送られて来る搬送音声信号ＳＡＴを受ける音声信号処理部２２が設けられている。音声信号処理部２２は、受けた搬送音声信号ＳＡＴに基づく音声出力信号ＳＡＯを音声再生部２３に供給する。音声再生部２３は、例えば、スピーカもしくはイアーフォーンによって構成され、音声出力信号ＳＡＯに基づく再生音声を発する。
【００３３】
部分Ｂが形成する本願の特許請求の範囲における請求項５または請求項６に記載された発明に係るデータ受入処理装置の例においては、部分Ａからデータ伝送路１９及び２０を通じて夫々伝送された長時間圧縮情報データＤＣＬ及び短時間圧縮情報データＤＣＳを、データ受入部２５が受け入れる。長時間圧縮情報データＤＣＬは、部分Ａにおいて情報データＤＩに比較的長い所定の時間に亙るデータ区分毎のデータ圧縮が行われて形成されたものであって、それゆえ、元の情報データＤＩに対する時間遅れは比較的大とされるが、比較的高い品質を有した圧縮情報データであり、短時間圧縮情報データＤＣＳは、部分Ａにおいて情報データＤＩにデータ低減処理が施されるとともに上述の所定の時間より短い時間に亙るデータ区分毎のデータ圧縮が行われて形成されたものであって、それゆえ、高い品質を有するとは言えないが、元の情報データＤＩに対する時間遅れが比較的小とされた圧縮情報データである。
【００３４】
データ受入部２５には、データ受信部２６とデータ受信部２７とが含まれており、データ受信部２６は、長時間圧縮情報データＤＣＬを受信し、受信した長時間圧縮情報データＤＣＬをデータ伸長処理部２８に供給し、また、データ受信部２７は、短時間圧縮情報データＤＣＳを受信し、受信した短時間圧縮情報データＤＣＳをデータ伸長処理部２９に供給する。
【００３５】
データ伸長処理部２８は、長時間圧縮情報データＤＣＬにデータ伸長処理を施し、長時間圧縮情報データＤＣＬに基づく元の情報データＤＩを、その比較的長い所定の時間に亙るデータ区分ずつ復元していき、元の情報データＤＩと同じ情報内容を有するが、元の情報データＤＩに対する時間遅れが比較的大とされる復元情報データＤＩ’を得る。また、データ伸長処理部２９は、短時間圧縮情報データＤＣＳにデータ伸長処理を施し、短時間圧縮情報データＤＣＳに基づく元の低減情報データＤＩＲを、上述の比較的長い所定の時間より短い時間に亙るデータ区分ずつ復元していき、元の低減情報データＤＩＲと同じ情報内容を有し、元の情報データＤＩに対する時間遅れが比較的小とされる復元情報データＤＩＲ’を得る。
【００３６】
データ伸長処理部２８から得られる復元情報データＤＩ’は、放送信号形成部３０に供給される。放送信号形成部３０は、復元情報データＤＩ’に基づき、元の情報データＤＩに対する時間遅れが比較的大とされるが、高い品質を有するものとされる放送用画像信号ＳＶを形成して、それを送出する。
【００３７】
一方、データ伸長処理部２９から得られる復元情報データＤＩＲ’は、Ｄ／Ａ変換部３１に供給される。Ｄ／Ａ変換部３１は、復元情報データＤＩＲ’をそれにＤ／Ａ変換を施してアナログ化し、復元情報データＤＩＲ’に基づく、高い品質を有するとは言えないが、元の情報データＤＩに対する時間遅れが比較的小とされる画像信号ＳＶＲを形成する。
【００３８】
Ｄ／Ａ変換部３１から得られる画像信号ＳＶＲは、画像表示部を形成する画像モニター部３２に供給され、画像モニター部３２は、画像信号ＳＶＲに基づく再生画像を表示する。それにより、画像モニター部３２には、高い品質のものではないが、元の情報データＤＩがあらわす画像に対する時間遅れが比較的小とされる再生画像が得られることになる。
【００３９】
また、部分Ｂが形成する本願の特許請求の範囲における請求項５または請求項６に記載された発明に係るデータ受入処理装置の例にあっては、マイクロフォン３３が備えられている。マイクロフォン３３からは、音声信号ＳＡが送出されて、それが音声信号送信処理部３４に供給される。音声信号送信処理部３４は、音声信号ＳＡに基づく搬送音声信号ＳＡＴを形成し、それを部分Ｂから信号伝送路２１を通じて部分Ａに送り出す。
【００４０】
このようなもとで、例えば、部分Ａ及び部分Ｂの両者が形成する本願の特許請求の範囲における請求項９または請求項１０に記載された発明に係るデータ送受処理装置にあっては、例えば、部分Ａに備えられたビデオカメラ１１及び音声再生部２３が、収録現場のリポータによって操作され、一方、放送スタジオのキャスターによって、部分Ｂに備えられた画像モニター部３２により表示される再生画像が観視されるとともに部分Ｂに備えられたマイクロフォン３３が使用されるものとされる。
【００４１】
斯かる際、例えば、放送スタジオのキャスターは、画像モニター部３２により表示される再生画像を見つつ、マイクロフォン３３を通じて、収録現場のリポータに音声による指示等を与える。収録現場のリポータは、音声再生部２３を通じて、放送スタジオのキャスターからの音声による指示等を受け、その指示等に応じて、ビデオカメラ１１による撮像動作を制御し、それによってビデオカメラ１１から送出される情報信号ＳＩがあらわす画像情報を指示等に従ったものとなす。部分Ｂにおいて形成される放送用画像信号ＳＶは、部分Ａにおいて生成される情報データＤＩに基づくもの、従って、部分Ａに備えられたビデオカメラ１１から送出される情報信号ＳＩに基づくものとされるので、上述の場合にあっては、部分Ｂに備えられた画像モニター部３２により表示される再生画像が、放送用画像信号ＳＶの情報内容の形成あるいは確認等の用に供されることになる。
【００４２】
図２は、本願の特許請求の範囲における請求項１または請求項３に記載された発明に係るデータ伝送処理装置，請求項５または請求項７に記載された発明に係るデータ受入処理装置、及び、請求項９または請求項１１に記載された発明に係るデータ送受処理装置の夫々の例を示す。
【００４３】
図２に示される構成にあっては、部分Ｃが、本願の特許請求の範囲における請求項１または請求項３に記載された発明に係るデータ伝送処理装置の例を形成し、部分Ｄが、本願の特許請求の範囲における請求項５または請求項７に記載された発明に係るデータ受入処理装置の例を形成し、さらに、部分Ｃ及び部分Ｄの両者が、本願の特許請求の範囲における請求項９または請求項１１に記載された発明に係るデータ送受処理装置の例を形成している。
【００４４】
図２に示される部分Ｃは、図１に示される部分Ａと同様に構成された部分を多々有しており、図２に示される部分Ｃにあっては、図１に示される部分Ａにおける各ブロックに対応するブロックが、図１に示される部分Ａと共通の符号が付されて示されており、それらについての重複説明は省略される。
【００４５】
図２に示される部分Ｃにより構成される本願の特許請求の範囲における請求項１または請求項３に記載された発明に係るデータ伝送処理装置の例においては、図１に示される部分Ａにより構成される本願の特許請求の範囲における請求項１または請求項２に記載された発明に係るデータ伝送処理装置の例におけるデータ伝送部１６に代わる、データ伝送部４１が備えられている。
【００４６】
データ伝送部４１は、データ多重部４２とデータ送信部４３とを含んでおり、データ伝送部４１には、長時間データ圧縮処理部１３からの長時間圧縮情報データＤＣＬと、短時間データ圧縮処理部１５からの短時間圧縮情報データＤＣＳとが供給される。データ多重部４２は、長時間圧縮情報データＤＣＬと短時間圧縮情報データＤＣＳとに多重化処理を施して、長時間圧縮情報データＤＣＬと短時間圧縮情報データＤＣＳとが相互多重されて成る多重情報データＤＸを形成して、それをデータ送信部４３に供給する。データ送信部４３は、データ多重部４２からの多重情報データＤＸをデータ伝送路４４を通じて部分Ｃへと送信する。それにより、データ伝送部４１は、長時間圧縮情報データＤＣＬ及び短時間圧縮情報データＤＣＳを、多重情報データＤＸとして、部分Ｃからデータ伝送路４４を通じて部分Ｄへと伝送することになる。
【００４７】
図２に示される部分Ｄは、図１に示される部分Ｂと同様に構成された部分を多々有しており、図２に示される部分Ｄにあっては、図１に示される部分Ｂにおける各ブロックに対応するブロックが、図１に示される部分Ｂと共通の符号が付されて示されており、それらについての重複説明は省略される。
【００４８】
図２に示される部分Ｄにより構成される本願の特許請求の範囲における請求項５または請求項７に記載された発明に係るデータ受入処理装置の例においては、図１に示される部分Ｂにより構成される本願の特許請求の範囲における請求項５または請求項６に記載された発明に係るデータ受入処理装置の例におけるデータ受入部２５に代わる、データ受入部４５が備えられている。
【００４９】
データ受入部４５は、データ受信部４６とデータ分離部４７とを含んでおり、データ受入部４５には、部分Ｃからデータ伝送路４４を通じて伝送された多重情報データＤＸが供給される。多重情報データＤＸは、部分Ｃにおいて、情報データＤＩに比較的長い所定の時間に亙るデータ区分毎のデータ圧縮が行われて形成された、元の情報データＤＩに対する時間遅れは比較的大とされるが、比較的高い品質を有した長時間圧縮情報データＤＣＬと、情報データＤＩにデータ低減処理が施されるとともに上述の所定の時間より短い時間に亙るデータ区分毎のデータ圧縮が行われて形成された、高い品質を有するとは言えないが、元の情報データＤＩに対する時間遅れが比較的小とされた短時間圧縮情報データＤＣＳとが、相互多重されたものである。
【００５０】
データ受信部４６は、多重情報データＤＸを受信し、受信した多重情報データＤＸをデータ分離部４７に供給する。データ分離部４７は、多重情報データＤＸにデータ分割処理を施し、長時間圧縮情報データＤＣＬと短時間圧縮情報データＤＣＳとを個別に得て、長時間圧縮情報データＤＣＬをデータ伸長処理部２８に供給するとともに、短時間圧縮情報データＤＣＳをデータ伸長処理部２９に供給する。
【００５１】
図２に示される部分Ｃにより構成される本願の特許請求の範囲における請求項１または請求項３に記載された発明に係るデータ伝送処理装置の例、及び、図２に示される部分Ｄにより構成される本願の特許請求の範囲における請求項５または請求項７に記載された発明に係るデータ受入処理装置の例におけるその他の部分については、夫々、図１に示される部分Ａにより構成される本願の特許請求の範囲における請求項１または請求項２に記載された発明に係るデータ伝送処理装置の例、及び、図１に示される部分Ｂにより構成される本願の特許請求の範囲における請求項５または請求項６に記載された発明に係るデータ受入処理装置の例と同様に構成されて同様の動作を行う。
【００５２】
このようにして構成される部分Ｃ及び部分Ｄの両者が形成する本願の特許請求の範囲における請求項９または請求項１１に記載された発明に係るデータ送受処理装置の例も、図１に示される部分Ａ及び部分Ｂの両者が形成する本願の特許請求の範囲における請求項９または請求項１０に記載された発明に係るデータ送受処理装置の例と同様に使用される。
【００５３】
図３は、本願の特許請求の範囲における請求項１または請求項４に記載された発明に係るデータ伝送処理装置，請求項５または請求項８に記載された発明に係るデータ受入処理装置、及び、請求項９または請求項１２に記載された発明に係るデータ送受処理装置の夫々の例を示す。
【００５４】
図３に示される構成にあっては、部分Ｅが、本願の特許請求の範囲における請求項１または請求項４に記載された発明に係るデータ伝送処理装置の例を形成し、部分Ｆが、本願の特許請求の範囲における請求項５または請求項８に記載された発明に係るデータ受入処理装置の例を形成し、さらに、部分Ｅ及び部分Ｆの両者が、本願の特許請求の範囲における請求項９または請求項１２に記載された発明に係るデータ送受処理装置の例を形成している。
【００５５】
図３に示される部分Ｅも、図１に示される部分Ａと同様に構成された部分を多々有しており、図３に示される部分Ｅにあっては、図１に示される部分Ａにおける各ブロックに対応するブロックが、図１に示される部分Ａと共通の符号が付されて示されており、それらについての重複説明は省略される。
【００５６】
図３に示される部分Ｅにより構成される本願の特許請求の範囲における請求項１または請求項４に記載された発明に係るデータ伝送処理装置の例においては、図１に示される部分Ａにより構成される本願の特許請求の範囲における請求項１または請求項２に記載された発明に係るデータ伝送処理装置の例におけるデータ伝送部１６に代わる、データ伝送部５１が備えられている。
【００５７】
データ伝送部５１は、データ多重部５２，送信用信号形成部５３，送受信部５４及び送受信アンテナ５５を含んでおり、データ伝送部５１には、長時間データ圧縮処理部１３からの長時間圧縮情報データＤＣＬと、短時間データ圧縮処理部１５からの短時間圧縮情報データＤＣＳとが供給される。
【００５８】
データ多重部５２は、長時間圧縮情報データＤＣＬと短時間圧縮情報データＤＣＳとに多重化処理を施して、長時間圧縮情報データＤＣＬと短時間圧縮情報データＤＣＳとが相互多重されて成る多重情報データＤＸを形成して、それを送信用信号形成部５３に供給する。送信用信号形成部５３は、多重情報データＤＸに基づき、多重情報データＤＸを無線送信するための無線送信用信号ＳＤＸを形成して、それを送受信部５４に供給する。
【００５９】
送受信部５４は、無線送信用信号ＳＤＸが供給されるとき、無線送信用信号ＳＤＸを無線送信する送信部を形成し、無線送信用信号ＳＤＸを送受信アンテナ５５を通じて無線送信する。それにより、データ伝送部５１は、長時間圧縮情報データＤＣＬ及び短時間圧縮情報データＤＣＳを、多重情報データＤＸとして、部分Ｅから無線送信の形で伝送することになる。
【００６０】
また、図３に示される部分Ｅにより構成される本願の特許請求の範囲における請求項１または請求項４に記載された発明に係るデータ伝送処理装置の例にあっては、搬送音声信号ＳＡＴが送受信アンテナ５５及び送受信部５４を通じて受けられ、受けられた搬送音声信号ＳＡＴが音声信号処理部２２に供給される。
【００６１】
図３に示される部分Ｆは、図１に示される部分Ｂと同様に構成された部分を多々有しており、図３に示される部分Ｆにあっては、図１に示される部分Ｂにおける各ブロックに対応するブロックが、図１に示される部分Ｂと共通の符号が付されて示されており、それらについての重複説明は省略される。
【００６２】
図３に示される部分Ｆにより構成される本願の特許請求の範囲における請求項５または請求項８に記載された発明に係るデータ受入処理装置の例においては、図１に示される部分Ｂにより構成される本願の特許請求の範囲における請求項５または請求項６に記載された発明に係るデータ受入処理装置の例におけるデータ受入部２５に代わる、データ受入部５６が備えられている。
【００６３】
データ受入部５６は、送受信アンテナ５７，送受信部５８，データ再生部５９及びデータ分離部６０を含んでいる。そして、送受信アンテナ５７及び送受信部５８を通じて、部分Ｅから無線送信された無線送信用信号ＳＤＸが受信される。受信された無線送信用信号ＳＤＸはデータ再生部５９に供給され、データ再生部５９において、無線送信用信号ＳＤＸから多重情報データＤＸが再生される。
【００６４】
多重情報データＤＸは、部分Ｅにおいて、情報データＤＩに比較的長い所定の時間に亙るデータ区分毎のデータ圧縮が行われて形成された、元の情報データＤＩに対する時間遅れは比較的大とされるが、比較的高い品質を有した長時間圧縮情報データＤＣＬと、情報データＤＩにデータ低減処理が施されるとともに上述の所定の時間より短い時間に亙るデータ区分毎のデータ圧縮が行われて形成された、高い品質を有するとは言えないが、元の情報データＤＩに対する時間遅れが比較的小とされた短時間圧縮情報データＤＣＳとが、相互多重されたものである。
【００６５】
データ分離部６０は、多重情報データＤＸにデータ分割処理を施し、長時間圧縮情報データＤＣＬと短時間圧縮情報データＤＣＳとを個別に得て、長時間圧縮情報データＤＣＬをデータ伸長処理部２８に供給するとともに、短時間圧縮情報データＤＣＳをデータ伸長処理部２９に供給する。
【００６６】
また、図３に示される部分Ｆにより構成される本願の特許請求の範囲における請求項５または請求項８に記載された発明に係るデータ受入処理装置の例にあっては、音声信号送信処理部３４からの搬送音声信号ＳＡＴが、送受信部５８及び送受信アンテナ５７を通じて無線送信される。
【００６７】
図３に示される部分Ｅにより構成される本願の特許請求の範囲における請求項１または請求項４に記載された発明に係るデータ伝送処理装置の例、及び、図３に示される部分Ｆにより構成される本願の特許請求の範囲における請求項５または請求項８に記載された発明に係るデータ受入処理装置の例におけるその他の部分については、夫々、図１に示される部分Ａにより構成される本願の特許請求の範囲における請求項１または請求項２に記載された発明に係るデータ伝送処理装置の例、及び、図１に示される部分Ｂにより構成される本願の特許請求の範囲における請求項５または請求項６に記載された発明に係るデータ受入処理装置の例と同様に構成されて同様の動作を行う。
【００６８】
このようにして構成される部分Ｅ及び部分Ｆの両者が形成する本願の特許請求の範囲における請求項９または請求項１２に記載された発明に係るデータ送受処理装置の例も、図１に示される部分Ａ及び部分Ｂの両者が形成する本願の特許請求の範囲における請求項９または請求項１０に記載された発明に係るデータ送受処理装置の例と同様に使用される。
【００６９】
【発明の効果】
以上の説明から明らかな如く、本願の特許請求の範囲における請求項１から請求項４までのいずれかに記載された発明に係るデータ伝送処理装置によれば、第１のデータ圧縮処理部及び第２のデータ圧縮処理部により、同一の情報データに基づく第１の圧縮情報データ及び第２の圧縮情報データが夫々形成されて、これら第１及び第２の圧縮情報データが、データ伝送部によって伝送され、その際、第１の圧縮情報データは、情報データに所定の時間に亙るデータ区分毎のデータ圧縮が行われて得られ、それにより、それを得るためのデータ圧縮処理に上述の所定の時間に応じた時間が要されて、元の情報データに対する時間遅れを生じ、さらに、それに基づく復元情報データを得るためのデータ伸長処理にも、上述の所定の時間に応じた時間が要されるが、例えば、比較的高い品質の復元情報データが得られることになるものとされ、また、第２の圧縮情報データは、情報データにデータ低減処理が施されて得られる低減情報データに、上述の所定の時間より短い時間に亙るデータ区分毎のデータ圧縮が行われて得られ、それにより、それを得るためのデータ圧縮処理に要される時間が比較的短くて済み、元の情報データに対する時間遅れが比較的小とされ、さらに、それに基づく復元情報データを得るためのデータ伸長処理に要される時間も比較的短くて済むが、高い品質の復元情報データは得られないことになるものとされる。
【００７０】
従って、元の情報データに対する時間遅れが比較的大とされるが、比較的高い品質の復元情報データが得られることになる第１の圧縮情報データと、元の情報データに対する時間遅れが比較的小とされるが、高い品質の復元情報データは得られないことになる第２の圧縮情報データとが伝送されることになり、それゆえ、伝送された第１及び第２の圧縮情報データを受け入れるデータ受入側においては、第１の圧縮情報データに基づく、元の情報データに対する時間遅れは比較的大であるが、比較的高い品質の復元情報データを得ることができるとともに、第２の圧縮情報データに基づく、高い品質のものとは言えないが、元の情報データに対する時間遅れが比較的小である復元情報データを得ることができることになる。
【００７１】
また、本願の特許請求の範囲における請求項５から請求項８までのいずれかに記載された発明に係るデータ受入処理装置によれば、情報データに所定の時間に亙るデータ区分毎のデータ圧縮が施されて形成された第１の圧縮情報データに基づく第１の復元情報データ、及び、同じ情報データにデータ低減処理が施されるとともに上述の所定の時間より短い時間に亙るデータ区分毎のデータ圧縮が施されて形成された第２の圧縮情報データに基づく第２の復元情報データが、第１のデータ伸長処理部及び第２のデータ伸長処理部により夫々得られ、放送用信号形成部により第１の復元情報データに基づく放送用画像信号が形成されるとともに、画像表示部により第２の復元情報データに基づく画像表示が行われる。
【００７２】
その際、第１の復元情報データは、情報データに所定の時間に亙るデータ区分毎のデータ圧縮が施されて形成された第１の圧縮情報データにデータ伸長処理が施されて得られるものゆえ、元の情報データに対する時間遅れは比較的大であるが、比較的高い品質のものとされ、また、第２の復元情報データは、同じ情報データにデータ低減処理が施されるとともに上述の所定の時間より短い時間に亙るデータ区分毎のデータ圧縮が施されて形成された第２の圧縮情報データにデータ伸長処理が施されて得られるものゆえ、高い品質のものとは言えないが、元の情報データに対する時間遅れが比較的小であるものとされる。
【００７３】
従って、第１の復元情報データに基づいて、元の情報データに対する時間遅れは比較的大であるが、比較的高い品質のものとされる放送用画像信号を形成することができるとともに、第２の復元情報データに基づいて、高い品質のものではないが、元の情報データがあらわす画像に対する時間遅れが比較的小とされる再生画像を得ることができ、この再生画像は、例えば、放送用画像信号の情報内容の形成あるいは確認等の用に供される。
【００７４】
さらに、本願の特許請求の範囲における請求項９から請求項１２までのいずれかに記載された発明に係るデータ送受処理装置は、本願の特許請求の範囲における請求項１から請求項４までのいずれかに記載された発明に係るデータ伝送処理装置と本願の特許請求の範囲における請求項５から請求項８までのいずれかに記載された発明に係るデータ受入処理装置とを含んで構成され、それゆえ、上述の本願の特許請求の範囲における請求項１から請求項４までのいずれかに記載された発明に係るデータ伝送処理装置及び請求項５から請求項８までのいずれかに記載された発明に係るデータ受入処理装置の夫々の特徴及び作用効果を有するものとされる。
【図面の簡単な説明】
【図１】本願の特許請求の範囲における請求項１または請求項２に記載された発明に係るデータ伝送処理装置，請求項５または請求項６に記載された発明に係るデータ受入処理装置、及び、請求項９または請求項１０に記載された発明に係るデータ送受処理装置の夫々の例を示すブロック構成図である。
【図２】本願の特許請求の範囲における請求項１または請求項３に記載された発明に係るデータ伝送処理装置，請求項５または請求項７に記載された発明に係るデータ受入処理装置、及び、請求項９または請求項１１に記載された発明に係るデータ送受処理装置の夫々の例を示すブロック構成図である。
【図３】本願の特許請求の範囲における請求項１または請求項４に記載された発明に係るデータ伝送処理装置，請求項５または請求項８に記載された発明に係るデータ受入処理装置、及び、請求項９または請求項１２に記載された発明に係るデータ送受処理装置の夫々の例を示すブロック構成図である。
【符号の説明】
１１・・・ビデオカメラ，　１２・・・Ａ／Ｄ変換部，　１３・・・長時間データ圧縮処理部，　　１４・・・データ低減部，　１５・・・短時間データ圧縮処理部，　　１６，４１，５１・・・データ伝送部，　１７，１８，４３・・・データ送信部，　１９，２０，４４・・・データ伝送路，　２１・・・信号伝送路，２２・・・音声信号処理部，　２３・・・音声再生部，　２５，４５，５６・・・データ受入部，　２６，２７，４６・・・データ受信部，　２８，２９・・・データ伸長処理部，　３０・・・放送信号形成部，　３１・・・Ｄ／Ａ変換部，　３２・・・画像モニター部，　３３・・・マイクロフォン，　３４・・・音声信号送信処理部，　４２，５２・・・データ多重部，　４７，６０・・・データ分離部，　５３・・・送信用信号形成部，　５４，５８・・・送受信部，　５５，５７・・・送受信アンテナ，　５９・・・データ再生部
【図１】
2004120453.tif 000003
【図２】
2004120453.tif 000004
【図３】
2004120453.tif 000005